(57)【要約】  上位装置から通知された複数のユーザ装置の上り通信の情報から、ユーザ装置ごとの上り通信の帯域量の割り当ての情報を抽出する。前記上位装置、前記ユーザ装置が収容される下位装置、当該下位装置と接続された終端装置、及び前記ユーザ装置の対応付けを示す対応情報を作成する。前記ユーザ装置ごとの上り通信の帯域量の割り当ての情報と、前記対応情報とに基づいて、前記終端装置の上り通信の開始時刻と、前記終端装置の上り通信の送信が許可される信号の情報量とを、前記終端装置に割り当てる。
2016158846.tif 000002
【特許請求の範囲】
【請求項１】
下位側に複数のユーザ装置が収容される下位装置と接続された終端装置と接続され、上位側に上位装置が接続された端局装置において、
前記上位装置から通知された前記ユーザ装置の上り通信の情報から、前記ユーザ装置ごとの上り通信の帯域量の割り当ての情報を抽出する情報抽出部と、
前記上位装置、前記終端装置、前記下位装置及び前記ユーザ装置の対応付けを示す対応情報を作成する処理部と、
前記ユーザ装置ごとの上り通信の帯域量の割り当ての情報と、前記対応情報とに基づいて、前記終端装置の上り通信の開始時刻と、前記終端装置の上り通信の送信が許可される信号の情報量とを、前記終端装置に割り当てる帯域割当部と、
を備える端局装置。
【請求項２】
前記終端装置の下位に接続された前記下位装置の識別情報を、前記終端装置から受信する通信部
を更に備え、
前記情報抽出部は、前記上位装置から通知された前記ユーザ装置の上り通信の情報から、前記上位装置と前記下位装置との対応付けを示す情報を更に抽出し、
前記処理部は、抽出された前記上位装置と前記下位装置との対応付けを示す情報に基づいて、前記対応情報を作成する、請求項１に記載の端局装置。
【請求項３】
前記処理部は、前記上位装置から、前記上位装置、前記下位装置及び前記ユーザ装置の対応付けを示す情報を入手し、また前記終端装置から、前記終端装置及び前記下位装置の対応付けを示す情報を入手して、前記対応情報を作成することを特徴とする、請求項１に記載の端局装置。
【請求項４】
下位側に複数のユーザ装置が収容される下位装置と接続された終端装置と接続され、上位側に上位装置が接続された端局装置における帯域割当方法であって、
前記上位装置から通知された前記ユーザ装置の上り通信の情報から、前記ユーザ装置ごとの上り通信の帯域量の割り当ての情報を抽出するステップと、
前記上位装置、前記終端装置、前記下位装置及び前記ユーザ装置の対応付けを示す対応情報を作成するステップと、
前記ユーザ装置ごとの上り通信の帯域量の割り当ての情報と、前記対応情報とに基づいて、前記終端装置の上り通信の開始時刻と、前記終端装置の上り通信の送信が許可される信号の情報量とを、前記終端装置に割り当てるステップと、
を有する帯域割当方法。
【発明の詳細な説明】
【技術分野】
【０００１】
本発明は、端局装置及び帯域割当方法に関する。
本願は、２０１５年３月３０日に出願された特願２０１５−０６８８８２号に基づき優先権を主張し、その内容をここに援用する。
【背景技術】
【０００２】
ＬＴＥ（Long Term Evolution）やＬＴＥ−ａｄｖａｎｃｅｄなど（以下、合わせて「ＬＴＥ等」という）の移動体無線通信サービスでは、無線基地局装置は、基地局装置（BBU: Base Band Unit）及び無線装置（RRH: Remote Radio Head）を備える場合がある。
無線基地局装置の基地局装置は、上位装置及び端局装置を備える場合がある。上位装置及び端局装置は、基地局に集約される場合があり、ベースバンド処理を実行する。
一方、無線基地局装置の無線装置は、基地局に集約されずに基地局の外で、無線処理を実行する。また、無線装置は、上位装置及び端局装置に対し、下位装置に位置づけられる。
また、一般的な構成では、端局装置に対して終端装置が一対一で接続される。
これに対し、特許文献１では、下位装置である無線装置は、端局装置と複数の終端装置とが一対多で接続された通信システムの終端装置を介して、端局装置と接続されている（特許文献１を参照）。【０００３】
また、ＬＴＥ等は、スモールセルがエリア内に多数配置されることにより、有限な周波数資源を効率よく使用し、高速化と大容量化を実現している。ＬＴＥ等では、端局装置と複数の終端装置とが一対多で接続された通信システムを介して、上位装置、端局装置、終端装置及び下位装置を収容する方法が検討されている。端局装置と複数の終端装置とが一対多で接続された通信システムには、例えば、ＰＯＮ(Passive Optical Network）システムがある（非特許文献１を参照）。【０００４】
移動体無線通信サービスでは、再送制御（HARQ: hybrid automatic repeat request）を実行するために、上位装置と下位装置との間の遅延時間に対する要求条件が厳しい。そこで特許文献1では、下位装置に接続されるユーザ装置（UE: User Equipment）の上り通信のスケジューリングの情報は、上位装置から、端局装置、終端装置、及び下位装置の順に転送されて、ユーザ装置に通知される。また、終端装置から端局装置への上り通信の開始時刻及び信号の情報量は、上り通信のスケジューリングの情報に基づいて算出される。これにより、特許文献１に係る下位装置から上位装置への上り通信の信号は、低遅延で転送される。
【先行技術文献】
【特許文献】
【０００５】
【特許文献１】国際公開第２０１４／０７７１６８号
【非特許文献】
【０００６】
【非特許文献１】"IEEE Std. 802.3-2012", IEEE, 2012
【発明の概要】
【発明が解決しようとする課題】
【０００７】
ところで、移動体無線通信サービスでは、下位装置とユーザ装置とが一対多で接続されることがある。特許文献１に係る端局装置は、終端装置の上り通信の送信開始時刻と、終端装置の上り通信の送信が許可される信号の情報量とを、複数のユーザ装置の上り通信のスケジューリングの情報に基づいて算出する必要がある。この場合、端局装置は、複数のユーザ装置がどの終端装置を介して端局装置に接続されているかなど、通信システムの各装置の接続関係を把握する必要がある。【０００８】
しかしながら、従来の端局装置は、通信システムの各装置の接続関係を把握していない。このため、従来の端局装置は、下位装置とユーザ装置とが一対多で接続された通信システムの周波数帯域の利用効率を向上させることができないという問題があった。【０００９】
上記事情に鑑み、本発明は、下位装置とユーザ装置とが一対多で接続された通信システムの帯域の利用効率を向上させることが可能である端局装置及び帯域割当方法を提供することを目的としている。
【課題を解決するための手段】
【００１０】
本発明の一態様は、下位側に複数のユーザ装置が収容される下位装置と接続された終端装置と接続され、上位側に上位装置が接続された端局装置において、
前記上位装置から通知された前記ユーザ装置の上り通信の情報から、前記ユーザ装置ごとの上り通信の帯域量の割り当ての情報を抽出する情報抽出部と、
前記上位装置、前記終端装置、前記下位装置及び前記ユーザ装置の対応付けを示す対応情報を作成する処理部と、
前記ユーザ装置ごとの上り通信の帯域量の割り当ての情報と、前記対応情報とに基づいて、前記終端装置の上り通信の開始時刻と、前記終端装置の上り通信の送信が許可される信号の情報量とを、前記終端装置に割り当てる帯域割当部と、
を備える端局装置である。【００１１】
典型例として、前記終端装置の下位に接続された前記下位装置の識別情報を、前記終端装置から受信する通信部
を更に備え、
前記情報抽出部は、前記上位装置から通知された前記ユーザ装置の上り通信の情報から、前記上位装置と前記下位装置との対応付けを示す情報を更に抽出し、
前記処理部は、抽出された前記上位装置と前記下位装置との対応付けを示す情報に基づいて、前記対応情報を作成する。
好適例として、前記処理部は、前記上位装置から、前記上位装置、前記下位装置及び前記ユーザ装置の対応付けを示す情報を入手し、また前記終端装置から、前記終端装置及び前記下位装置の対応付けを示す情報を入手して、前記対応情報を作成する。【００１２】
本発明の別の一態様は、下位側に複数のユーザ装置が収容される下位装置と接続された終端装置と接続され、上位側に上位装置が接続された端局装置における帯域割当方法であって、
前記上位装置から通知された前記ユーザ装置の上り通信の情報から、前記ユーザ装置ごとの上り通信の帯域量の割り当ての情報を抽出するステップと、
前記上位装置、前記終端装置、前記下位装置及び前記ユーザ装置の対応付けを示す対応情報を作成するステップと、
前記ユーザ装置ごとの上り通信の帯域量の割り当ての情報と、前記対応情報とに基づいて、前記終端装置の上り通信の開始時刻と、前記終端装置の上り通信の送信が許可される信号の情報量とを、前記終端装置に割り当てるステップと、
を有する帯域割当方法である。
【発明の効果】
【００１３】
本発明による端局装置及び帯域割当方法によれば、下位装置とユーザ装置とが一対多で接続された通信システムの帯域の利用効率を向上させることが可能となる。
【図面の簡単な説明】
【００１４】
【図１】本発明の第１の実施形態における、通信システムの構成例を示す図である。
【図２】同第１の実施形態における、端局装置の構成例を示す図である。
【図３】同第１の実施形態における、上位装置、終端装置及び下位装置の対応情報の例を示す図である。
【図４】同第１の実施形態における、終端装置及びユーザ装置の対応情報の例を示す図である。
【図５】同第１の実施形態における、終端装置の構成例を示す図である。
【図６】同第１の実施形態における、上位装置、終端装置及び下位装置の対応情報を作成する動作の手順の第１例を示すシーケンス図である。
【図７】同第１の実施形態における、上位装置、終端装置及び下位装置の対応情報を作成する動作の手順の第２例を示すシーケンス図である。
【図８】同第１の実施形態における、上位装置、終端装置及び下位装置の対応情報を作成する動作の手順の第３例を示すシーケンス図である。
【図９】同第１の実施形態における、終端装置及びユーザ装置の対応情報を作成する動作の手順の例を示すシーケンス図である。
【図１０】本発明の第２の実施形態における、下位装置に異常が発生した場合の動作の手順の第１例を示すシーケンス図である。
【図１１】同第２の実施形態における、下位装置に異常が発生した場合の動作の手順の第２例を示すシーケンス図である。
【図１２】同第２の実施形態における、下位装置に異常が発生した場合の動作の手順の第３例を示すシーケンス図である。
【図１３】本発明の第３の実施形態における、終端装置に異常が発生した場合の動作の手順の第１例を示すシーケンス図である。
【図１４】同第３の実施形態における、終端装置に異常が発生した場合の動作の手順の第２例を示すシーケンス図である。
【図１５】同第３の実施形態における、終端装置に異常が発生した場合の動作の手順の第３例を示すシーケンス図である。
【発明を実施するための形態】
【００１５】
本発明の実施形態について図面を参照して詳細に説明する。
［第１の実施形態］
図１は、本発明の第１の実施形態における、通信システム１の構成例を示す図である。
本通信システム１は、光信号によって通信するシステムである。通信システム１は、上位装置１０と、端局装置１１と、中継部１２と、終端装置１３（図では、１３−１〜１３−Ｐ）と、下位装置１４（図では、１４−１〜１４−Ｐ）と、ユーザ装置１５（図では、１５−１〜１５−Ｕ）とを備える。
通信システム１は、一例として、端局装置１１と終端装置１３と光ファイバ１２０（図では、１２０−０及び１２０−１〜１２０−Ｐ）と中継部１２とを有するＰＯＮ(Passive Optical Network）を含む。
【００１６】
以下、上位装置１０からユーザ装置１５への向きを「下り」という。以下、ユーザ装置１５から上位装置１０への向きを「上り」という。
【００１７】
上位装置１０は、基地局装置（BBU）として機能する。上位装置１０は、上位網２０を介して、更に上位の他のシステムと通信接続されていてもよい。
本通信システム１では、最上位の装置（上位側の装置）は、上位装置１０である。上位装置１０と端局装置１１とは、一対一で接続されている。上位装置１０は、Ｂ本（Ｂは、１以上であり、終端装置１３の個数Ｐ以下の整数）の主信号線１００を介して、下り通信の主信号と、送信先の下位装置１４の識別子とを、端局装置１１に送信する。
下り通信の主信号は、ユーザ装置１５の上り通信のスケジューリングの情報（帯域割当等の情報）を含んでいてもよい。上位装置１０は、Ｂ本の主信号線１００を介して、上り通信の主信号を端局装置１１から取得する。なお、上位装置１０を複数設けてもよい。この場合、複数の上位装置１０はそれぞれ、直接または集線スイッチを介して端局装置と接続される。
【００１８】
以下、下位装置１４の識別子を、「下位装置識別子」という。識別子は、例えば、ＭＡＣ（Media Access Control）アドレスや、ＩＰ（Internet Protocol）アドレスである。
下位装置識別子は、任意の範囲のネットワークにて独自に付与される識別子でもよい。以下、端局装置１１と終端装置１３との間の通信回線を、「中継網３０」という。
【００１９】
上位装置１０は、副信号線１０１を介して、副信号を端局装置１１に送信する。この副信号は、中継網３０を介して上位装置１０と接続している下位装置１４の下位装置識別子を含む。
【００２０】
また、上記副信号は、下位装置１４と接続しているユーザ装置１５の識別子（以下、「ユーザ装置識別子」という）も含む。更に、副信号は、ユーザ装置１５の上り通信のスケジューリングの情報（帯域割当等の情報）を含んでいてもよい。
【００２１】
端局装置１１は、光加入者線端局装置（OLT: Optical Line Terminal）である。
図１の構成では、端局装置１１と、終端装置１３−１〜１３−Ｐ（Ｐは２以上の整数）とは、光ファイバ１２０と中継部１２を介して、一対多で接続されている。しかしながら、端局装置１１と、終端装置１３とが、光ファイバ１２０と中継部１２を介して、一対一で接続されていても良い。
【００２２】
中継部１２は、光スプリッタである。中継部１２は、光ファイバ１２０−０を介して端局装置１１から受信した光信号を、光ファイバ１２０−１〜１２０−Ｐによって分岐して、終端装置１３−１〜１３−Ｐに転送する。また、中継部１２は、光ファイバ１２０−１〜１２０−Ｐを介して終端装置１３−１〜１３−Ｐから受信した光信号を、端局装置１１に転送する。
なお、中継部１２は、光信号を多重又は分離する多重化装置でもよい。
終端装置１３は、光回線終端装置（ONU: Optical Network Unit）である。終端装置１３−ｉ（ｉは、１〜Ｐ）と、下位装置１４−ｉとは、一対一で接続されている。
【００２３】
下位装置１４は、通信装置であり、例えば、無線装置である。下位装置１４と複数のユーザ装置１５とは、一対多で接続されている。すなわち、下位装置１４（収容元装置）は、複数のユーザ装置１５を収容する。以下、下位装置１４とユーザ装置１５との間の通信回線を、「下位網４０」という。
【００２４】
ユーザ装置１５は、スマートフォン端末、タブレット端末、コンピュータ端末等の通信装置である。通信システム１では、最下位の装置（下位側の装置）は、これらユーザ装置１５−１〜１５−Ｕ（Ｕは２以上の整数）である。
【００２５】
次に、端局装置１１の構成例を説明する。
図２は、本発明の第１の実施形態における、端局装置１１の構成例を示す図である。端局装置１１は、上位通信部１１０と、情報抽出部１１１と、処理部１１２と、記憶部１１３と、帯域割当部１１４と、下位通信部１１５とを備える。
【００２６】
上位通信部１１０と、情報抽出部１１１と、処理部１１２と、帯域割当部１１４と、下位通信部１１５との一部または全部は、例えば、ＣＰＵ（Central Processing Unit）等のプロセッサが、メモリに記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００２７】
上位通信部１１０は、主信号線１００−１〜１００−Ｂ（Ｂは、１以上であり、終端装置１３の個数Ｐ以下の整数）を介して上位装置１０から取得した主信号を、下位通信部１１５に転送する。すなわち、上位通信部１１０は、Ｂ対Ｂの主信号線によって上位装置１０と接続されている。
また、上位通信部１１０は、下位通信部１１５から取得した主信号を、主信号線１００−１〜１００−Ｂを介して上位装置１０に転送する。
なお、ユーザ装置１５の上り通信のスケジューリングの情報（帯域割当等の情報、すなわち、周波数軸及び時間軸について、無線リソースをユーザ装置１５ごとに割り振る情報）が主信号に含まれている場合、上位通信部１１０は、ユーザ装置１５の上り通信のスケジューリングの情報を主信号から抽出して、当該抽出した情報を情報抽出部１１１に転送してもよい。
【００２８】
また、上位通信部１１０は、下位装置１４によって上り通信の主信号に付加された上位装置１０の識別子と、記憶部１１３に記憶されている各対応情報（後述する）とに基づいて、上り通信の主信号を転送する先の上位装置１０を定めてもよい。
【００２９】
情報抽出部１１１は、ユーザ装置１５の上り通信のスケジューリングの情報（帯域割当等の情報）が上記副信号に含まれている場合、ユーザ装置１５の上り通信のスケジューリングの情報を、副信号線１０１を介して上位装置１０から取得する。情報抽出部１１１は、取得したユーザ装置１５の上り通信のスケジューリングの情報から、下位網４０におけるユーザ装置１５の上り通信の送信が許可される信号の情報量（以下、「下位網送信許可量」という）の情報を、ユーザ装置１５ごとに抽出する。情報抽出部１１１は、ユーザ装置識別子と、下位網送信許可量の情報とを対応付けて、帯域割当部１１４に送信する。
【００３０】
情報抽出部１１１はまた、中継網３０を介して上位装置１０と接続する下位装置１４の下位装置識別子を、副信号線１０１を介して上位装置１０から取得する。情報抽出部１１１は、上位装置１０の識別子（以下、「上位装置識別子」という。）と、取得した下位装置識別子とを、処理部１１２に送信する。
【００３１】
更に、情報抽出部１１１は、上記下位装置識別子と対応づけられる、下位装置１４と接続するユーザ装置１５のユーザ装置識別子を、副信号線１０１を介して上位装置１０から取得する。情報抽出部１１１は、互いに対応付けられた下位装置識別子及びユーザ装置識別子を、処理部１１２に送信する。
【００３２】
処理部１１２は、上位装置１０の識別子（上位装置識別子）と、下位装置識別子とを、情報抽出部１１１から取得する。処理部１１２は、終端装置１３−ｉに接続されている下位装置１４−ｉの下位装置識別子を回答することを、下位通信部１１５を介して、当該終端装置１３に要求する。
すなわち、処理部１１２は、終端装置１３−ｉに接続されている下位装置１４−ｉの下位装置識別子を、下位通信部１１５を介して、終端装置１３に問い合わせる。
【００３３】
これにより、処理部１１２は、終端装置１３−ｉに接続されている下位装置１４−ｉの下位装置識別子を、終端装置１３からの回答として、下位通信部１１５から取得する。処理部１１２は、上位装置識別子と、問い合わせ先の終端装置１３の識別子（以下、「終端装置識別子」という）と、回答された下位装置識別子とを対応付けて、記憶部１１３に記憶させる。
【００３４】
図３は、本第１の実施形態における、上位装置１０、終端装置１３及び下位装置１４の対応情報（以下、「下位装置等対応情報」という）の例を示す図である。
下位装置等対応情報（ＢＢＵ−ＯＮＵ−ＲＲＨ対応情報）は、上位装置１０と終端装置１３との接続関係と、終端装置１３及び下位装置１４との接続関係とを示す情報である。下位装置等対応情報では、上位装置識別子と、終端装置識別子と、下位装置識別子とが対応付けられている。
【００３５】
図３では、一例として、上位装置識別子「１０」と、終端装置識別子「１３−１」と、下位装置識別子「１４−１」とが対応付けられている。また、上位装置識別子「１０」と、終端装置識別子「１３−ｉ」と、下位装置識別子「１４−ｉ」とが対応付けられている。更に、上位装置識別子「１０」と、終端装置識別子「１３−Ｐ」と、下位装置識別子「１４−Ｐ」とが対応付けられている。
【００３６】
処理部１１２は、下位通信部１１５から下位装置識別子を取得した場合、記憶部１１３に記憶された下位装置等対応情報に、この取得した下位装置識別子が登録されているか否かを判定する。
下位通信部１１５から取得した下位装置識別子が登録されていない場合、処理部１１２は、下位通信部１１５から取得した下位装置識別子を、対応する終端装置１３に関連付けて、下位装置等対応情報に登録する。
一方、下位通信部１１５から取得した下位装置識別子が登録されている場合、処理部１１２は、下位通信部１１５から取得した下位装置識別子を、対応する終端装置１３に関連付けて、下位装置等対応情報を更新する。
【００３７】
処理部１１２はまた、互いに対応付けられた下位装置識別子及びユーザ装置識別子を、情報抽出部１１１から取得する。処理部１１２は、下位装置等対応情報と、互いに対応付けられた下位装置識別子及びユーザ装置識別子とに基づいて、終端装置１３及びユーザ装置１５の対応情報（ＯＮＵ−ＵＥ対応情報）を、記憶部１１３に記憶させる。
【００３８】
図４は、本第１の実施形態における、終端装置１３及びユーザ装置１５の対応情報（以下、「ユーザ装置等対応情報」という。）の例を示す図である。
ユーザ装置等対応情報は、終端装置１３とユーザ装置１５との接続関係を示す情報である。ユーザ装置等対応情報では、終端装置識別子と、ユーザ装置識別子とが対応付けられている。
【００３９】
図４では、一例として、終端装置識別子「１３−１」と、下位装置識別子「１４−１」に対応付けられたユーザ装置識別子「１５−１」とが対応付けられている。また、終端装置識別子「１３−１」と、下位装置識別子「１４−１」に対応付けられたユーザ装置識別子「１５−ｕ」とが対応付けられている。すなわち、終端装置１３−１は、下位装置１４−１を介して、一例として、少なくともユーザ装置１５−１及びユーザ装置１５−ｕに接続されている。
また、図４では、一例として、終端装置識別子「１３−Ｐ」と、下位装置識別子「１４−Ｐ」に対応付けられたユーザ装置識別子「１５−Ｕ」とが対応付けられている。
【００４０】
処理部１１２は、情報抽出部１１１からユーザ装置識別子を取得した場合、記憶部１１３に記憶されたユーザ装置等対応情報に、この取得したユーザ装置識別子が登録されているか否かを判定する。
情報抽出部１１１から取得したユーザ装置識別子が登録されていない場合、処理部１１２は、情報抽出部１１１から取得した下位装置識別子に対応する終端装置を、下位装置等対応情報から取得し、さらに情報抽出部１１１から取得したユーザ装置識別子を、対応する終端装置１３に関連付けて、ユーザ装置等対応情報に登録する。
一方、情報抽出部１１１から取得したユーザ装置識別子が登録されている場合、処理部１１２は、情報抽出部１１１から取得した下位装置識別子に対応する終端装置を、下位装置等対応情報から取得し、さらに情報抽出部１１１から取得したユーザ装置識別子を、対応する終端装置１３に関連付けて、ユーザ装置等対応情報を更新する。
【００４１】
なお、処理部１１２は、下位装置等対応情報と、ユーザ装置等対応情報とを、単一の対応表にまとめて、記憶部１１３に記憶させてもよい。
【００４２】
記憶部１１３は、例えば、ＲＯＭ（Read Only Memory）、フラッシュメモリ、ＨＤＤ（Hard Disk Drive）などの不揮発性の記憶媒体（非一時的な記録媒体）を有する。記憶部１１３は、例えば、ＲＡＭ（Random Access Memory）やレジスタなどの揮発性の記憶媒体を有していてもよい。記憶部１１３は、例えば、ソフトウェア機能部を機能させるためのプログラムを記憶してもよい。
【００４３】
記憶部１１３は、上記下位装置等対応情報、及び、上記ユーザ装置等対応情報を記憶する。なお、記憶部１１３は、下位装置等対応情報と、ユーザ装置等対応情報とを、単一の対応表にまとめて記憶してもよい。
【００４４】
帯域割当部１１４は、下位装置等対応情報と、ユーザ装置等対応情報とを、処理部１１２から取得する。帯域割当部１１４は、これら下位装置等対応情報及びユーザ装置等対応情報と、情報抽出部１１１が抽出した下位網送信許可量の情報とに基づいて、中継網３０において終端装置１３の上り通信に要求される帯域量（以下、「中継網要求量」という）を決定する。
帯域割当部１１４は、中継網要求量に基づいて、下位装置１４の上り通信の信号の割当量を算出する。なお、下位装置１４における上り通信の信号の転送処理には、ユーザ装置１５の上り通信の信号に応じて、オーバヘッドが発生する場合がある。ここでいうオーバヘッドとは、上り通信における主信号以外の信号のことを指し、例えばデータ転送に追加で付加される制御情報である。このため、中継網要求量には、オーバヘッドに応じた情報量等が加算又は乗算されてもよい。
【００４５】
帯域割当部１１４は、例えば、終端装置１３が上り通信の信号の送信を待つ時間が、全ての終端装置１３において公平となるように、終端装置１３の上り通信の送信開始時刻（中継網送信許可の送信開始時刻）を算出する。また、同様に、帯域割当部１１４は、例えば、終端装置１３が上り通信の信号の送信を待つ時間が全ての終端装置１３において公平となるように、下位装置１４の上り通信の信号の割当量に余剰ビット量を加算した結果に基づいて、中継網３０における終端装置１３の上り通信の送信が許可される信号の情報量（以下、「中継網送信許可量」という）を算出する。ここでいう余剰ビット量とは、例えばデータ転送以外に上り通信で生じる可能性のある制御信号の送信を許容するための追加の割当量である。
【００４６】
帯域割当部１１４は、終端装置１３ごとの上り通信の送信開始時刻の情報を、下位通信部１１５に送信する。帯域割当部１１４はまた、終端装置１３ごとの中継網送信許可量の情報を、下位通信部１１５に送信する。
【００４７】
下位通信部１１５は、上位通信部１１０から取得した下り通信の主信号を、中継網３０を介して終端装置１３に転送する。下位通信部１１５は、中継網３０を介して終端装置１３から取得した上り通信の主信号を、上位通信部１１０に転送する。
【００４８】
下位通信部１１５は、終端装置１３ごとの上り通信の送信開始時刻の情報を、帯域割当部１１４から取得する。下位通信部１１５は、この、終端装置１３の上り通信の送信開始時刻の情報を、中継網３０を介して終端装置１３に転送する。下位通信部１１５はまた、終端装置１３ごとの中継網送信許可量の情報を、帯域割当部１１４から取得する。下位通信部１１５は、終端装置１３ごとの中継網送信許可量の情報を、中継網３０を介して終端装置１３に転送する。
【００４９】
下位通信部１１５は、上位装置１０によって下り通信の主信号に付加された下位装置識別子と、記憶部１１３に記憶されている各対応情報とに基づいて、下り通信の主信号を転送する先の終端装置１３を定めてもよい。
【００５０】
また、下位通信部１１５は、下位装置１４の下位装置識別子を要求する信号を、中継網３０を介して終端装置１３に転送する。下位通信部１１５は、終端装置１３−ｉに接続されている下位装置１４−ｉの下位装置識別子を、終端装置１３−ｉから取得する。下位通信部１１５は、受信した下位装置１４の下位装置識別子と、終端装置１３の識別子とを対応付けて、処理部１１２に転送する。
【００５１】
次に、終端装置１３の構成例を説明する。
図５は、本第１の実施形態における、終端装置１３の構成例を示す図である。終端装置１３は、上位通信部１３０と、取得部１３１と、下位通信部１３２とを備える。
上位通信部１３０と、取得部１３１と、下位通信部との一部または全部は、例えば、ＣＰＵ等のプロセッサが、メモリに記憶されたプログラムを実行することにより機能するソフトウェア機能部である。また、これらの機能部のうち一部または全部は、ＬＳＩやＡＳＩＣ等のハードウェア機能部であってもよい。
【００５２】
上位通信部１３０は、自装置に接続されている下位装置１４の下位装置識別子を要求する信号を、取得部１３１に転送する。これにより、上位通信部１３０は、上記下位装置識別子を、取得部１３１から取得する。
上位通信部１３０は、この、自装置に接続されている下位装置１４の下位装置識別子を、中継網３０を介して端局装置１１に送信する。
【００５３】
上位通信部１３０は、本終端装置１３の上り通信の送信開始時刻の情報に基づいて、上り通信の主信号を、端局装置１１に対して送信開始時刻に送信する。ここで上位通信部１３０は、上記中継網送信許可量の情報に基づいて、中継網送信許可量に適応する上り通信の主信号を、端局装置１１に対して送信する。
上位通信部１３０はまた、下り通信の主信号を、中継網３０を介して端局装置１１から取得する。上位通信部１３０は、下り通信の主信号を下位通信部１３２に転送する。
【００５４】
取得部１３１は、自装置に接続されている下位装置１４の下位装置識別子を、下位通信部１３２から取得する。取得部１３１は、下位装置識別子を要求する信号を上位通信部１３０から取得した場合、自装置に接続されている下位装置１４の下位装置識別子を、上位通信部１３０に送信する。
【００５５】
下位通信部１３２は、自装置に接続されている下位装置１４の下位装置識別子を、下位装置１４から取得する。下位通信部１３２は、自装置に接続されている下位装置１４の下位装置識別子を、取得部１３１からの要求に応じて、取得部１３１に転送する。下位通信部１３２はまた、下り通信の主信号を、自装置に接続されている下位装置１４に転送する。
【００５６】
次に、下位装置等対応情報を端局装置１１が作成する動作について説明する。
図６は、本第１の実施形態における、下位装置等対応情報を作成する動作の手順の第１例を示すシーケンス図である。
上位装置１０は、上位装置１０の上位装置識別子と、上位装置１０と接続している下位装置１４の下位装置識別子とを、端局装置１１に送信する（ステップＳ１０１）。
端局装置１１は、上位装置１０と接続している下位装置１４の下位装置識別子を要求する信号を、中継部１２に送信する（ステップＳ１０２）。
中継部１２は、上位装置１０と接続している下位装置１４の下位装置識別子を要求する信号を、下位装置識別子が割り当てられた下位装置１４に接続された終端装置１３に転送する（ステップＳ１０３）。
【００５７】
終端装置１３は、自装置に接続された下位装置１４に、下位装置識別子の送信を要求する信号を送信する（ステップＳ１０４）。下位装置１４は、下位装置識別子の送信を要求する信号を取得する（ステップＳ１０５）。そして、下位装置１４は、自装置の下位装置識別子を、終端装置１３に送信する（ステップＳ１０６）。
終端装置１３は、自装置の終端装置識別子と、自装置に接続された下位装置１４の下位装置識別子とを、中継部１２に送信する（ステップＳ１０７）。中継部１２は、これら終端装置識別子と下位装置識別子とを、端局装置１１に転送する（ステップＳ１０８）。
【００５８】
端局装置１１は、上記終端装置識別子と下位装置識別子とを、中継部１２を介して終端装置１３から取得する（ステップＳ１０９）。端局装置１１は、下位装置等対応情報（ＢＢＵ−ＯＮＵ−ＲＲＨ対応情報）に、取得した下位装置識別子が登録されているか否かを判定する（ステップＳ１１０）。
【００５９】
当該下位装置識別子が登録されていない場合、端局装置１１は、取得した下位装置識別子を対応する終端装置１３に関連付けて、下位装置等対応情報に登録する。一方、取得した下位装置識別子が登録されている場合、端局装置１１は、取得した下位装置識別子を対応する終端装置１３に関連付けて、下位装置等対応情報を更新する（即ち、下位装置等対応情報における、下位装置識別子と終端装置識別子の対応関係が変更される）（ステップＳ１１１）。
【００６０】
なお、端局装置１１は、上位装置１０からの情報通知及び問い合わせに起因して、図６に示す端局装置１１の処理を実行してもよいし、図６に示す処理を定期的に実行してもよい。同様に、終端装置１３は、端局装置１１からの情報通知及び問い合わせに起因して、図６に示す終端装置１３の処理を実行してもよいし、図６に示す処理を定期的に実行してもよい。
【００６１】
図７は、本第１の実施形態における、下位装置等対応情報を作成する動作の手順の第２例を示すシーケンス図である。
図７に示すように、終端装置１３は、下位装置識別子の送信の要求を、下位装置１４に対して事前に実行し、下位装置識別子を保存していてもよい。
【００６２】
即ち、終端装置１３は、自装置に接続された下位装置１４に、下位装置識別子の送信を要求する信号を送信する（ステップＳ２０１）。下位装置１４は、この、下位装置識別子の送信を要求する信号を取得する（ステップＳ２０２）。これにより、下位装置１４は、自装置の下位装置識別子を終端装置１３に送信する（ステップＳ２０３）。そして、終端装置１３は、自装置の終端装置識別子と、自装置に接続された下位装置１４の下位装置識別子とを記憶する（ステップＳ２０４）。
【００６３】
上位装置１０は、上位装置１０の上位装置識別子と、上位装置１０と接続している下位装置１４の下位装置識別子とを、端局装置１１に送信する（ステップＳ２０５）。
端局装置１１は、上位装置１０と接続している下位装置１４の下位装置識別子を要求する信号を、中継部１２に送信する（ステップＳ２０６）。
中継部１２は、上位装置１０と接続している下位装置１４の下位装置識別子を要求する信号を、下位装置識別子が割り当てられた下位装置１４に接続された終端装置１３に転送する（ステップＳ２０７）。
終端装置１３は、下位装置１４の下位装置識別子を要求する信号を取得する（ステップＳ２０８）。
【００６４】
終端装置１３は、自装置の終端装置識別子と、自装置に接続された下位装置１４の下位装置識別子（上記ステップＳ２０４で記憶されたもの）とを、中継部１２に送信する（ステップＳ２０９）。中継部１２は、これら終端装置識別子と下位装置識別子とを、端局装置１１に転送する（ステップＳ２１０）。
【００６５】
端局装置１１は、終端装置識別子と下位装置識別子とを、中継部１２を介して終端装置１３から取得する（ステップＳ２１１）。端局装置１１は、下位装置等対応情報（ＢＢＵ−ＯＮＵ−ＲＲＨ対応情報）に、取得した下位装置識別子が登録されているか否かを判定する（ステップＳ２１２）。
【００６６】
当該下位装置識別子が登録されていない場合、端局装置１１は、取得した下位装置識別子を対応する終端装置１３に関連付けて、下位装置等対応情報に登録する。一方、取得した下位装置識別子が登録されている場合、端局装置１１は、取得した下位装置識別子を対応する終端装置１３に関連付けて、下位装置等対応情報を更新する（即ち、上記第１例と同様に、下位装置等対応情報における、下位装置識別子と終端装置識別子の対応関係が変更される）（ステップＳ２１３）。
【００６７】
図８は、本第１の実施形態における、下位装置等対応情報を作成する動作の手順の第３例を示すシーケンス図である。図８のシーケンス図は、図６のものと流れは同じであるが、ここでは、中継部１２と同様に終端装置１３もまた信号（メッセージ）の転送を行うだけであり、端局装置１１と下位装置１４とが直接通信する形態となる。
【００６８】
上位装置１０は、上位装置１０の上位装置識別子と、上位装置１０と接続している下位装置１４の下位装置識別子とを、端局装置１１に送信する（ステップＳ３０１）。
端局装置１１は、上位装置１０と接続している下位装置１４の下位装置識別子を要求する信号を、下位装置１４に向けて転送させるために、中継部１２に送信する（ステップＳ３０２）。
中継部１２は、上位装置１０と接続している下位装置１４の下位装置識別子を要求する信号を、下位装置識別子が割り当てられた下位装置１４に接続された終端装置１３に転送する（ステップＳ３０３）。
【００６９】
終端装置１３もまた、自装置に接続された下位装置１４に、下位装置識別子の送信を要求する信号をそのまま転送する（ステップＳ３０４）。下位装置１４は、下位装置識別子の送信を要求する信号を取得する（ステップＳ３０５）。そして、下位装置１４は、自装置の下位装置識別子を終端装置１３に送信する（ステップＳ３０６）。
終端装置１３は、自装置の終端装置識別子と、自装置に接続された下位装置１４の下位装置識別子とを、中継部１２に転送する（ステップＳ３０７）。中継部１２は、これら終端装置識別子と下位装置識別子とを、端局装置１１に転送する（ステップＳ３０８）。
【００７０】
端局装置１１は、中継部１２を介して上記終端装置識別子を終端装置１３から取得し、中継部１２及び終端装置１３を介して、上記下位装置識別子を下位装置１４から取得する（ステップＳ３０９）。端局装置１１は、下位装置等対応情報（ＢＢＵ−ＯＮＵ−ＲＲＨ対応情報）に、取得した下位装置識別子が登録されているか否かを判定する（ステップＳ３１０）。
【００７１】
当該下位装置識別子が登録されていない場合、端局装置１１は、取得した下位装置識別子を対応する終端装置１３に関連付けて、下位装置等対応情報に登録する。一方、取得した下位装置識別子が登録されている場合、端局装置１１は、取得した下位装置識別子を対応する終端装置１３に関連付けて、下位装置等対応情報を更新する（即ち、本第３例においても、下位装置等対応情報における、下位装置識別子と終端装置識別子の対応関係が変更される）（ステップＳ３１１）。
【００７２】
次に、ユーザ装置等対応情報を端局装置１１が作成する動作について説明する。
図９は、本第１の実施形態における、ユーザ装置等対応情報を作成する動作の手順の例を示すシーケンス図である。
上位装置１０は、中継網３０を介して上位装置１０と接続する下位装置１４の下位装置識別子と、下位装置１４と接続するユーザ装置１５のユーザ装置識別子とを、端局装置１１に送信する（ステップＳ４０１）。
端局装置１１は、これら、中継網３０を介して上位装置１０と接続する下位装置１４の下位装置識別子と下位装置１４と接続するユーザ装置１５のユーザ装置識別子とを取得する（ステップＳ４０２）。
【００７３】
端局装置１１は、ユーザ装置等対応情報に、取得したユーザ装置識別子が登録されているか否かを判定する（ステップＳ４０３）。
取得したユーザ装置識別子が登録されていない場合、端局装置１１は、取得した下位装置識別子に対応する終端装置を、下位装置等対応情報から取得し、さらに取得したユーザ装置識別子を対応する終端装置１３に関連付けて、ユーザ装置等対応情報に登録する。一方、取得したユーザ装置識別子が登録されている場合、端局装置１１は、取得した下位装置識別子に対応する終端装置を、下位装置等対応情報から取得し、さらに取得したユーザ装置識別子を対応する終端装置１３に関連付けて、ユーザ装置等対応情報を更新する（即ち、ユーザ装置等対応情報における、ユーザ装置識別子と終端装置識別子の対応関係が変更される）（ステップＳ４０４）。
【００７４】
以上のように、第１の実施形態の端局装置１１は、下位側に複数のユーザ装置１５が収容される下位装置１４と接続された終端装置１３と接続され、上位側に上位装置１０が接続されている。
端局装置１１の情報抽出部１１１は、上位装置１０から通知されたユーザ装置１５の上り通信の情報（例えば、上り通信のスケジューリングの情報）から、ユーザ装置１５ごとの上り通信の帯域量の割り当ての情報を抽出する。
端局装置１１の処理部１１２は、上位装置１０、終端装置１３、下位装置１４及びユーザ装置１５の対応付けを示す対応情報を作成する。対応情報は、上位装置１０、端局装置１１、終端装置１３、下位装置１４及びユーザ装置１５の対応付けを示す情報でもよい。
端局装置１１の帯域割当部１１４は、ユーザ装置１５ごとの上り通信の帯域量の割り当ての情報と、対応情報とに基づいて、終端装置１３の上り通信の開始時刻と、終端装置１３の上り通信の送信が許可される信号の情報量とを、当該終端装置１３に割り当てる。
【００７５】
この構成によって、端局装置１１は、上位装置１０、終端装置１３、下位装置１４及びユーザ装置１５の対応付けを示す対応情報を作成する。端局装置１１は、この対応情報に基づいて、各装置の接続関係を識別することが可能である。
端局装置１１は、各装置の接続関係の識別結果と、上位装置１０から通知されるユーザ装置１５ごとのスケジューリング情報とに基づいて、終端装置１３の上り通信の開始時刻と、送信が許可される信号の情報量とを決定することが可能である。
【００７６】
これによって、第１の実施形態の端局装置１１及び帯域割当方法によれば、下位装置１４とユーザ装置１５とが一対多で接続された通信システムの帯域の利用効率を向上させることが可能となる。
【００７７】
また、第１の実施形態の端局装置１１及び帯域割当方法では、上位装置１０から下位装置１４へのスケジューリングの情報に基づいて、終端装置１３への帯域割当を行う。そして、第１の実施形態の端局装置１１及び帯域割当方法によれば、下位装置１４への信号制御によって、ＰＯＮ等の帯域を活用することが可能となる。従って、第１の実施形態の端局装置１１及び帯域割当方法は、上り通信の信号の転送の低遅延化を可能とする。
【００７８】
第１の実施形態の端局装置１１は、終端装置１３の下位に接続された下位装置１４の識別情報を、終端装置１３から取得する下位通信部１１５を更に備える。情報抽出部１１１は、ユーザ装置１５の上り通信の情報として上位装置１０から通知されたスケジューリングの情報から、上位装置１０と下位装置１４との対応付けを示す情報を更に抽出する。
処理部１１２は、抽出された上位装置１０と下位装置１４との対応付けを示す情報に基づいて、上位装置１０、端局装置１１、終端装置１３、下位装置１４及びユーザ装置１５の接続の対応関係を示す情報を作成する。
記憶部１１３は、この、上位装置１０、端局装置１１、終端装置１３、下位装置１４及びユーザ装置１５の接続の対応関係を示す情報として、上位装置１０、終端装置１３及び下位装置１４の接続の対応関係を示す情報と、終端装置１３及びユーザ装置１５の接続の対応関係を示す情報とを記憶する。
【００７９】
第１の実施形態の端局装置１１は、ユーザ装置１５ごとのスケジューリングの情報に基づいて、終端装置１３ごとの信号の送信開始時刻及び送信許可量を決定することが可能となる。従って、第１の実施形態の端局装置１１は、上り通信の信号及び下り通信の信号を、所望の上位装置１０及び終端装置１３に転送することが可能となる。
【００８０】
［第２の実施形態］
第２の実施形態では、下位装置１４に異常が発生したことによって端局装置１１が下位装置識別子を終端装置１３から取得できない場合の処理を示すものであり、この点が、第１の実施形態と相違する。第２の実施形態では、第１の実施形態との相違点についてのみ説明する。
【００８１】
図１０は、本発明の第２の実施形態における、下位装置１４に異常が発生した場合の動作の手順の第１例を示すシーケンス図である。
上位装置１０は、上位装置１０の上位装置識別子と、上位装置１０と接続している下位装置１４の下位装置識別子とを、端局装置１１に送信する（ステップＳ５０１）。
端局装置１１は、上位装置１０と接続している下位装置１４の下位装置識別子を要求する信号を、中継部１２に送信する（ステップＳ５０２）。
中継部１２は、上位装置１０と接続している下位装置１４の下位装置識別子を要求する信号を、下位装置識別子が割り当てられた下位装置１４に接続された終端装置１３に転送する（ステップＳ５０３）。
【００８２】
終端装置１３は、自装置に接続された下位装置１４に、下位装置識別子の送信を要求する信号を送信する（ステップＳ５０４）。下位装置１４は、下位装置識別子の送信を要求する信号を取得する（ステップＳ５０５）。
【００８３】
終端装置１３は、（送信を要求した）下位装置識別子を一定時間（閾値時間）以内に下位装置１４から取得したか否かを判定する（ステップＳ５０６）。
下位装置識別子を一定時間以内に下位装置１４から取得しなかった場合、終端装置１３は、下位装置１４に異常が発生したことを示す下位装置エラー情報を、端局装置１１に向けて中継部１２に送信する（ステップＳ５０７）。
中継部１２は、上記の下位装置エラー情報を、端局装置１１に転送する（ステップＳ５０８）。
【００８４】
端局装置１１は、下位装置エラー情報を、中継部１２を介して終端装置１３から取得する（ステップＳ５０９）。端局装置１１は、下位装置等対応情報（ＢＢＵ−ＯＮＵ−ＲＲＨ対応情報）に、下位装置エラー情報を受信した終端装置が登録されているか否かを判定する。
下位装置エラー情報を受信した終端装置が登録されている場合、端局装置１１は、当該終端装置に対応付けられた情報を、下位装置等対応情報から削除する（ステップＳ５１０）。
【００８５】
端局装置１１はまた、ユーザ装置等対応情報（ＯＮＵ−ＵＥ対応情報）に、下位装置エラー情報を受信した終端装置が登録されているか否かを判定する。下位装置エラー情報を受信した終端装置が登録されている場合、端局装置１１は、当該終端装置に対応付けられた情報を、ユーザ装置等対応情報から削除する（ステップＳ５１１）。
そして端局装置１１は、下位装置１４に異常が発生したことを示す下位装置エラー情報を、上位装置１０に送信する（ステップＳ５１２）。上位装置１０は、下位装置エラー情報を取得する（ステップＳ５１３）。
【００８６】
図１１は、本発明の第２の実施形態における、下位装置１４に異常が発生した場合の動作の手順の第２例を示すシーケンス図である。
終端装置１３は、自装置に接続された下位装置１４に、下位装置識別子の送信を要求する信号を送信する（ステップＳ６０１）。下位装置１４は、下位装置識別子の送信を要求する信号を取得する（ステップＳ６０２）。
【００８７】
上位装置１０は、上位装置１０の上位装置識別子と、上位装置１０と接続している下位装置１４の下位装置識別子とを、端局装置１１に送信する（ステップＳ６０３）。
端局装置１１は、上位装置１０と接続している下位装置１４の下位装置識別子を要求する信号を、中継部１２に送信する（ステップＳ６０４）。
中継部１２は、上位装置１０と接続している下位装置１４の下位装置識別子を要求する信号を、下位装置識別子が割り当てられた下位装置１４に接続された終端装置１３に転送する（ステップＳ６０５）。
終端装置１３は、上位装置１０と接続している下位装置１４の下位装置識別子を要求する信号を取得する（ステップＳ６０６）。
【００８８】
終端装置１３は、下位装置識別子を一定時間以内に下位装置１４から取得したか否か（上記ステップＳ６０１及びＳ６０２により）を判定する（ステップＳ６０７）。
下位装置識別子を一定時間以内に下位装置１４から取得しなかった場合、終端装置１３は、下位装置１４に異常が発生したことを示す下位装置エラー情報を、端局装置１１に向けて中継部１２に送信する（ステップＳ６０８）。
中継部１２は、上記の下位装置エラー情報を、端局装置１１に転送する（ステップＳ６０９）。
【００８９】
端局装置１１は、下位装置エラー情報を、中継部１２を介して終端装置１３から取得する（ステップＳ６１０）。端局装置１１は、下位装置等対応情報（ＢＢＵ−ＯＮＵ−ＲＲＨ対応情報）に、下位装置エラー情報を受信した終端装置が登録されているか否かを判定する。
下位装置エラー情報を受信した終端装置が登録されている場合、端局装置１１は、当該終端装置に対応付けられた情報を、下位装置等対応情報から削除する（ステップＳ６１１）。
【００９０】
端局装置１１はまた、ユーザ装置等対応情報（ＯＮＵ−ＵＥ対応情報）に、下位装置エラー情報を受信した終端装置が登録されているか否かを判定する。下位装置エラー情報を受信した終端装置が登録されている場合、端局装置１１は、当該終端装置に対応付けられた情報を、ユーザ装置等対応情報から削除する（ステップＳ６１２）。
そして端局装置１１は、下位装置１４に異常が発生したことを示す下位装置エラー情報を、上位装置１０に送信する（ステップＳ６１３）。上位装置１０は、下位装置エラー情報を取得する（ステップＳ６１４）。
【００９１】
図１２は、本発明の第２の実施形態における、下位装置１４に異常が発生した場合の動作の手順の第３例を示すシーケンス図である。図１２において、中継部１２と同様に終端装置１３もまた信号（メッセージ）の転送を行うだけであり、端局装置１１と下位装置１４とが直接通信する形態となる。
【００９２】
上位装置１０は、上位装置１０の上位装置識別子と、上位装置１０と接続している下位装置１４の下位装置識別子とを、端局装置１１に送信する（ステップＳ７０１）。
端局装置１１は、上位装置１０と接続している下位装置１４の下位装置識別子を要求する信号を、下位装置１４に向けて中継部１２に送信する（ステップＳ７０２）。
中継部１２は、上位装置１０と接続している下位装置１４の下位装置識別子を要求する信号を、下位装置識別子が割り当てられた下位装置１４に接続された終端装置１３に転送する（ステップＳ７０３）。
【００９３】
終端装置１３もまた、自装置に接続された下位装置１４に、下位装置識別子の送信を要求する信号をそのまま転送する（ステップＳ７０４）。下位装置１４は、下位装置識別子の送信を要求する信号を取得する（ステップＳ５０５）。
【００９４】
端局装置１１は、下位装置識別子を一定時間以内に下位装置１４から取得したか否かを判定する（ステップＳ７０６）。下位装置識別子を一定時間以内に下位装置１４から取得しなかった場合、端局装置１１は、下位装置等対応情報（ＢＢＵ−ＯＮＵ−ＲＲＨ対応情報）に、送信先の下位装置１４の下位装置識別子が登録されているか否かを判定する。
送信先の下位装置１４の下位装置識別子が登録されている場合、端局装置１１は、送信先の下位装置１４の下位装置識別子と、送信先の下位装置１４の下位装置識別子に対応付けられた終端装置１３の終端装置識別子とを、下位装置等対応情報から削除する（ステップＳ７０７）。
【００９５】
端局装置１１はまた、終端装置１３又は下位装置１４に異常が発生したことを示す装置エラー情報を、上位装置１０に送信する（ステップＳ７０８）。上位装置１０は、装置エラー情報を取得する（ステップＳ７０９）。
【００９６】
以上のように、第２の実施形態の端局装置１１は、下位装置１４に異常が発生した場合、送信先の下位装置１４の下位装置識別子と、当該下位装置識別子に対応付けられた終端装置１３の終端装置識別子とを、下位装置等対応情報から削除する。
【００９７】
これによって、第２の実施形態の端局装置１１及び帯域割当方法は、下位装置１４とユーザ装置１５とが一対多で接続された通信システム１において、下位装置１４に異常が発生したことによって端局装置１１が下位装置識別子を終端装置１３から取得できない場合でも、帯域の利用効率を向上させることが可能となる。
【００９８】
［第３の実施形態］
第３の実施形態では、終端装置１３に異常が発生したことによって端局装置１１が下位装置識別子を終端装置１３から取得できない場合の処理を示すものであり、この点が、第２の実施形態と相違する。第３の実施形態では、第２の実施形態との相違点についてのみ説明する。
【００９９】
図１３は、本発明の第３の実施形態における、終端装置１３に異常が発生した場合の動作の手順の第１例を示すシーケンス図である。
上位装置１０は、上位装置１０の上位装置識別子と、上位装置１０と接続している下位装置１４の下位装置識別子とを、端局装置１１に送信する（ステップＳ８０１）。
端局装置１１は、上位装置１０と接続している下位装置１４の下位装置識別子を要求する信号を、中継部１２に送信する（ステップＳ８０２）。
中継部１２は、上位装置１０と接続している下位装置１４の下位装置識別子を要求する信号を、下位装置識別子が割り当てられた下位装置１４に接続された終端装置１３に転送する（ステップＳ８０３）。
【０１００】
終端装置１３は、自装置に接続された下位装置１４に、下位装置識別子の送信を要求する信号を送信する（ステップＳ８０４）。下位装置１４は、下位装置識別子の送信を要求する信号を取得する（ステップＳ８０５）。そして下位装置１４は、自装置の下位装置識別子を、終端装置１３に送信する（ステップＳ８０６）。
終端装置１３は、自装置に接続された下位装置１４の下位装置識別子を取得する（ステップＳ８０７）。
【０１０１】
端局装置１１は、（送信を要求した）下位装置識別子を一定時間以内に終端装置１３から取得したか否かを判定する（ステップＳ８０８）。
下位装置識別子を一定時間以内に終端装置１３から取得しなかった場合、端局装置１１は、下位装置等対応情報（ＢＢＵ−ＯＮＵ−ＲＲＨ対応情報）に、送信先の終端装置１３に対応付けられた下位装置１４の下位装置識別子が登録されているか否かを判定する。
送信先の終端装置１３に対応付けられた下位装置１４の下位装置識別子が登録されている場合、端局装置１１は、送信先の終端装置１３に対応付けられた下位装置１４の下位装置識別子と、当該送信先の終端装置１３の終端装置識別子とを、下位装置等対応情報から削除する（ステップＳ８０９）。
【０１０２】
端局装置１１はまた、ユーザ装置等対応情報（ＯＮＵ−ＵＥ対応情報）に、送信先の終端装置１３に対応付けられた下位装置１４の下位装置識別子が登録されているか否かを判定する。
送信先の終端装置１３に対応付けられた下位装置１４の下位装置識別子が登録されている場合、端局装置１１は、送信先の終端装置１３に対応付けられた下位装置１４の下位装置識別子と、この下位装置識別子に対応付けられたユーザ装置１５のユーザ装置識別子とを、ユーザ装置等対応情報から削除する（ステップＳ８１０）。
【０１０３】
端局装置１１は、終端装置１３に異常が発生したことを示す終端装置エラー情報を、上位装置１０に送信する（ステップＳ８１１）。上位装置１０は、終端装置エラー情報を取得する（ステップＳ８１２）。
【０１０４】
図１４は、本発明の第３の実施形態における、終端装置１３に異常が発生した場合の動作の手順の第２例を示すシーケンス図である。
終端装置１３は、自装置に接続された下位装置１４に、下位装置識別子の送信を要求する信号を送信する（ステップＳ９０１）。下位装置１４は、この、下位装置識別子の送信を要求する信号を取得する（ステップＳ９０２）。
これにより、下位装置１４は、自装置の下位装置識別子を終端装置１３に送信する（ステップＳ９０３）。そして、終端装置１３は、自装置に接続された下位装置１４の下位装置識別子を取得する（ステップＳ９０４）。
【０１０５】
上位装置１０は、上位装置１０の上位装置識別子と、上位装置１０と接続している下位装置１４の下位装置識別子とを、端局装置１１に送信する（ステップＳ９０５）。
端局装置１１は、上位装置１０と接続している下位装置１４の下位装置識別子を要求する信号を、中継部１２に送信する（ステップＳ９０６）。
中継部１２は、上位装置１０と接続している下位装置１４の下位装置識別子を要求する信号を、下位装置識別子が割り当てられた下位装置１４に接続された終端装置１３に転送する（ステップＳ９０７）。
終端装置１３は、下位装置１４の下位装置識別子を要求する信号を取得する（ステップＳ９０８）。
【０１０６】
端局装置１１は、下位装置識別子を一定時間以内に終端装置１３から取得したか否かを判定する（ステップＳ９０９）。
下位装置識別子を一定時間以内に終端装置１３から取得しなかった場合、端局装置１１は、下位装置等対応情報（ＢＢＵ−ＯＮＵ−ＲＲＨ対応情報）に、送信先の終端装置１３に対応付けられた下位装置１４の下位装置識別子が登録されているか否かを判定する。当該下位装置識別子が登録されている場合、端局装置１１は、送信先の終端装置１３に対応付けられた下位装置１４の下位装置識別子と、送信先の終端装置１３の終端装置識別子とを、下位装置等対応情報から削除する（ステップＳ９１０）。
【０１０７】
端局装置１１はまた、ユーザ装置等対応情報（ＯＮＵ−ＵＥ対応情報）に、送信先の終端装置１３に対応付けられた下位装置１４の下位装置識別子が登録されているか否かを判定する。当該下位装置識別子が登録されている場合、端局装置１１は、送信先の終端装置１３に対応付けられた下位装置１４の下位装置識別子と、当該下位装置識別子に対応付けられたユーザ装置１５のユーザ装置識別子とを、ユーザ装置等対応情報から削除する（ステップＳ９１１）。
【０１０８】
端局装置１１は、終端装置１３に異常が発生したことを示す終端装置エラー情報を、上位装置１０に送信する（ステップＳ９１２）。上位装置１０は、終端装置エラー情報を取得する（ステップＳ９１３）。
【０１０９】
図１５は、本発明の第３の実施形態における、終端装置１３に異常が発生した場合の動作の手順の第３例を示すシーケンス図である。図１５において、中継部１２と同様に終端装置１３もまた信号（メッセージ）の転送を行うだけであり、端局装置１１と下位装置１４とが直接通信する形態を想定している。
【０１１０】
上位装置１０は、上位装置１０の上位装置識別子と、上位装置１０と接続している下位装置１４の下位装置識別子とを、端局装置１１に送信する（ステップＳ１００１）。
端局装置１１は、上位装置１０と接続している下位装置１４の下位装置識別子を要求する信号を、下位装置１４に向けて中継部１２に送信する（ステップＳ１００２）。
中継部１２は、上位装置１０と接続している下位装置１４の下位装置識別子を要求する信号を、下位装置識別子が割り当てられた下位装置１４に接続された終端装置１３に転送する（ステップＳ１００３）。
終端装置１３は、下位装置識別子の送信を要求する信号を取得する。終端装置１３は、自装置に異常が発生していない場合には、この取得した信号をそのまま下位装置１４に転送する（ステップＳ１００４）。
【０１１１】
端局装置１１は、下位装置識別子を一定時間以内に下位装置１４から取得したか否かを判定する（ステップＳ１００５）。下位装置識別子を一定時間以内に下位装置１４から取得しなかった場合、端局装置１１は、下位装置等対応情報（ＢＢＵ−ＯＮＵ−ＲＲＨ対応情報）に、送信先の下位装置１４の下位装置識別子が登録されているか否かを判定する。
送信先の下位装置１４の下位装置識別子が登録されている場合、端局装置１１は、送信先の下位装置１４の下位装置識別子と、送信先の下位装置１４の下位装置識別子に対応付けられた終端装置１３の終端装置識別子とを、下位装置等対応情報から削除する（ステップＳ１００６）。
【０１１２】
端局装置１１は、終端装置１３又は下位装置１４に異常が発生したことを示す装置エラー情報を、上位装置１０に送信する（ステップＳ１００７）。上位装置１０は、装置エラー情報を取得する（ステップＳ１００８）。
【０１１３】
以上のように、第３の実施形態の端局装置１１は、終端装置１３に異常が発生した場合、送信先の終端装置１３に対応付けられた下位装置１４の下位装置識別子と、当該下位装置識別子に対応付けられた終端装置１３の終端装置識別子とを、下位装置等対応情報から削除する。
【０１１４】
これによって、第３の実施形態の端局装置１１及び帯域割当方法は、下位装置１４とユーザ装置１５とが一対多で接続された通信システム１において、終端装置１３に異常が発生したことによって端局装置１１が下位装置識別子を終端装置１３から取得できない場合でも、帯域の利用効率を向上させることが可能となる。
【０１１５】
上述した実施形態における上位装置、端局装置、終端装置、下位装置、ユーザ装置、通信システムをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。
なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。
また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０１１６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１１７】
本発明による端局装置及び帯域割当方法によれば、下位装置とユーザ装置とが一対多で接続された通信システムの帯域の利用効率を向上させることが可能となる。
【符号の説明】
【０１１８】
１…通信システム
１０…上位装置
１１…端局装置
１２…中継部
１３…終端装置
１４…下位装置
１５…ユーザ装置
２０…上位網
３０…中継網
４０…下位網
１００…主信号線
１０１…副信号線
１１０…上位通信部
１１１…情報抽出部
１１２…処理部
１１３…記憶部
１１４…帯域割当部
１１５…下位通信部
１２０…光ファイバ
１３０…上位通信部
１３１…取得部
１３２…下位通信部
【図１】
2016158846.tif 000003
【図２】
2016158846.tif 000004
【図３】
2016158846.tif 000005
【図４】
2016158846.tif 000006
【図５】
2016158846.tif 000007
【図６】
2016158846.tif 000008
【図７】
2016158846.tif 000009
【図８】
2016158846.tif 000010
【図９】
2016158846.tif 000011
【図１０】
2016158846.tif 000012
【図１１】
2016158846.tif 000013
【図１２】
2016158846.tif 000014
【図１３】
2016158846.tif 000015
【図１４】
2016158846.tif 000016
【図１５】
2016158846.tif 000017
【国際調査報告】
2016158846.tif 000018
2016158846.tif 000019
2016158846.tif 000020
2016158846.tif 000021